(57)【要約】冷却された強制空気流を空気冷却室４０から受け取る拡散ダクト２３を有する冷蔵室２０を備えたタイプの、強制空気循環を有する冷蔵庫のエアダクト装置。この装置は、棚２２の少なくとも１つの下方に定められた空間Ｖの上方部分に配置された、少なくとも１つの分配ダクト６０を備える。この分配ダクト６０は、拡散ダクト２３の内側に開かれた後部端６１、および冷蔵室２０のフロントドア２１に近接する空間Ｖの前部領域に開かれ、かつ前記空間の前部領域に向けられた複数の前部開口部６４、６５、６６を備えた前部端６２を呈する。
2005517892.tif 000002
【特許請求の範囲】
【請求項１】
フロントドア（２１）によって閉じられ、かつ複数の棚（２２）を収容する冷蔵室（２０）と、空気冷却室（４０）から冷却された強制気流を受け取るために、冷蔵室（２０）の概ね中心に位置し、かつ冷蔵室（２０）の後部壁に近接して設けられた拡散ダクト（２３）とを備えた、強制空気循環を有する冷蔵庫のエアダクト装置であって、
前記エアダクト装置が、棚（２２）の少なくとも１つの下方に定められた空間（Ｖ）の上方部分に配置された少なくとも１つの分配ダクト（６０）を備え、前記分配ダクト（６０）が、拡散ダクト（２３）の内側に開かれた後部端（６１）と、前部端（６２）とを有し、該前部端（６２）が、フロントドア（２１）に近接する前記空間の前部領域内に設けられ、かつ上方部分に分配ダクト（６０）が位置決めされた前記空間（Ｖ）の前部領域に向けられた複数の前部開口部（６４、６５、６６）を備えることを特徴とするエアダクト装置。
【請求項２】
分配ダクト（６０）が、分配ダクト（６０）が内側に設けられた空間（Ｖ）を主に制限する棚（２２）の下方に取り付けられたことを特徴とする、請求項１に記載の装置。
【請求項３】
分配ダクト（６０）が、縦方向のダクト延長部（６０ａ）を備え、該縦方向のダクト延長部（６０ａ）が、拡散ダクト（２３）から各空間（Ｖ）の中央の上方部分に沿って配置され、かつ前部開口部（６４、６５、６６）が設けられた２つの横方向のダクト延長部（６０ｂ）を前面に組み入れることを特徴とする、請求項１または２に記載の装置。
【請求項４】
横方向のダクト延長部（６０ｂ）が、各冷却された強制気流を冷蔵室（２０）のドア（２１）に向けて導くために、前方に向けられた前部開口部（６５）を備えたことを特徴とする、請求項３に記載の装置。
【請求項５】
前部開口部（６５）が、横方向のダクト延長部（６０ｂ）の長さの少なくとも一部に沿って配置されたことを特徴とする、請求項４に記載の装置。
【請求項６】
縦方向のダクト延長部（６０ａ）が、該縦方向のダクト延長部（６０ａ）の長さの少なくとも一部に沿って配置された複数の径方向開口部（６３）を備えたことを特徴とする、請求項４に記載の装置。
【請求項７】
横方向のダクト延長部（６０ｂ）が、前方に曲がっており、前方に向けられた前部開口部（６４）をそれぞれ画定する放出端部を備えたことを特徴とする、請求項４、５、および６のいずれか一項に記載の装置。
【請求項８】
分配ダクト（６０）が、前部開口部（６５）および径方向開口部（６３）から放出される冷却された強制空気流を調節するために、ユーザによって操作される流量制御装置（７０）を備えたことを特徴とする、請求項６に従属する請求項７に記載の装置。
【請求項９】
流量制御装置（７０）が、径方向窓（７３）を備える管状スリーブ（７１）を備え、該管状スリーブ（７１）が、きつく、かつ摺動するように分配ダクト（６０）の内側に設置され、前記管状スリーブ（７１）が、径方向窓（７３）と径方向開口（６３）を１列に並べ、かつ横方向のダクト延長部（６０ｂ）への強制気流を遮断する位置と、その側壁が径方向開口部（６３）を遮断し、かつ前部開口部（６４、６５）への冷却された強制気流を放出する位置との間を変位できることを特徴とする、請求項８に記載の装置。
【請求項１０】
管状スリーブ（７１）の変位が、分配ダクト（６０）の前部領域に設けられたボタン（７５）を動かすことによって引き起こされることを特徴とする、請求項９に記載の装置。
【請求項１１】
管状スリーブ（７１）が、縦方向のダクト延長部（６０ａ）の内側で、環状スリーブ（７１）の動作上の制限位置の間で軸方向に変位され、前記位置の一方において、環状スリーブ（７１）の外側壁の前部分が、横方向のダクト延長部（６０ｂ）への冷却された強制気流を遮断することを特徴とする、請求項１０に記載の装置。
【請求項１２】
管状スリーブ（７１）が、径方向開口部（６３）および横方向のダクト延長部（６０ｂ）への冷却された強制気流を制御するための環状スリーブ（７１）の動作上の制限位置の間で回転するように変位されることを特徴とする、請求項１０に記載の装置。
【請求項１３】
各横方向のダクト延長部（６０ｂ）が、前方に向けられた前部開口部（６５）と下方に向けられた開口部（６６）とを備えたことを特徴とする、請求項５に記載の装置。
【請求項１４】
各横方向のダクト延長部（６０ｂ）が、前方に向けられた前部開口部（６５）および下方に向けられた前部開口部（６６）から放出すべき冷却された強制空気流を調節するように、ユーザによって操作される流量制御装置（８０）を備えたことを特徴とする、請求項１３に記載の装置。
【請求項１５】
各流量制御装置（８０）が、各横方向のダクト延長部（６０ｂ）の内側に設置されたデフレクタ（８１）を備え、デフレクタ（８１）が、前方に向けられた前部開口部（６５）を閉じかつ下方に向けられた前部開口部（６６）を開放するという状態、および前方に向けられた前部開口部（６５）を開放しかつ下方に向けられた前部開口部（６６）を閉じるという状態、および前方に向けられた前開口部（６５）および下方に向けられた前開口部（６６）を同時に開口する状態の一つの状態を促進する、動作位置の間を選択的に変位されることを特徴とする、請求項１４に記載の装置。
【請求項１６】
デフレクタ（８１）が、デフレクタ（８１）の動作位置への変位を発生させるようにユーザによって変位されるために、分配ダクト（６０）からスロット（６８）を介して突出したハンドル（８３）を組み入れたことを特徴とする、請求項１５に記載の装置。
【請求項１７】
ハンドル（８３）およびデフレクタ（８１）が、角度変位されることができることを特徴とする、請求項１６に記載の装置。
【請求項１８】
ハンドル（８３）およびデフレクタ（８１）が、前方に向けられた前部開口部（６５）および下方に向けられた前部開口部（６６）の少なくとも一方の配列を通る、冷却された強制空気流の状態の変更を生み出すために線形変位されることを特徴とする、請求項１６に記載の装置。
【請求項１９】
分配ダクト（６０）が、拡散ダクト（２３）の開口（２３ａ）から受け取った冷却された強制空気流を、横方向のダクト延長部（６０ｂ）に導くために、分配ダクト（６０）の内部の高さの少なくとも一部を占め、かつ分配ダクト（６０）の後部端（６１）の領域から分配ダクト（６０）の前部端（６２）の領域に延在する内部壁（６８）を備えたことを特徴とする、請求項１３に記載の装置。
【請求項２０】
縦方向のダクト延長部（６０ａ）と横方向のダクト延長部（６０ｂ）との間の側方移行ゾーンが、曲線状の輪郭を呈し、内部壁（６８）の少なくとも一部が前記側方移行ゾーンの輪郭を辿ることを特徴とする、請求項１９に記載の装置。
【発明の詳細な説明】
【技術分野】
【０００１】
本発明は、冷蔵室、および任意に、通常は中間壁によって冷蔵室と分離された冷凍室がその内部に定められた単一のキャビネットを呈する、強制空気循環を有する冷蔵庫内の空気循環のためのダクト装置に関する。本発明は、特に、冷蔵室内の空気循環を均一にし、かつ冷蔵室の所定領域への空気の供給を強化するためのダクト装置に向けられている。
【背景技術】
【０００２】
一般に、強制空気循環を有する冷蔵庫は、冷蔵室の後部壁に配置された空気供給ダクトと、冷蔵室の棚の間に定められた空間に向けられた吹出口前部開口部とを備えている。
【０００３】
強制空気循環を有する冷蔵庫の知られている通常の構造を、添付した図面の図１〜図２に示している。この構造では、冷蔵庫は、冷凍冷蔵庫であり、冷凍室１０と冷蔵室２０とを備え、これらは重ねて配置され、それぞれフロントドア１１および２１を備え、中間壁３０によって分離されている。
【０００４】
冷蔵室２０の内部には、一般に単一の部品で、プラスチックまたはガラス製の棚２２が設けられている。棚２２の間に、拡散ダクト２３に設けられた前部開口部２３ａから来る冷却された空気が供給される。拡散ダクト２３は、一般に冷蔵室の後部壁の中心領域の内部に取り付けられ、かつ蒸発器４５およびファン４６を収容する空気冷却室４０から来る冷却された強制空気の流れを受け取る端部、例えば上端部を有し、また冷凍冷蔵庫において、一般に冷凍室１０の後部領域に近接して配置される。
【０００５】
本願明細書において、拡散ダクト２３は、空気冷却室４０が冷蔵室２０の後部上方領域に近接して設置された、単なる冷蔵庫（冷凍冷蔵庫ではない）の冷蔵室２０内に設けられてよいことを理解すべきである。冷蔵庫が冷凍冷蔵庫であるという事実とは関係なく、冷蔵室２０の前部または後部領域の循環空気を回収することによって、循環空気は空気冷却室へ戻る。
【０００６】
上記の先行技術の構造に関し、空気冷却室４０から来る冷却された空気は、冷蔵室２０の拡散ダクト２３に供給され、次いで拡散ダクト２３の前部開口部２３ａを介して冷蔵室２０に供給される。したがって、矢印Ｓで示したように、冷却された空気は、冷蔵室２０の中央においてフロントドア２１に向かって延在する実質的に水平な経路に沿って、棚２２の間の間隙または空間Ｖに供給され、その経路において、冷却された空気は、ドア２１と棚２２の前端部との間に生じる上昇する垂直方向の流れに変えられ、例えば、冷蔵室２０の前部上方領域において回収され、中間壁３０あるいは冷蔵庫の構造の他の適切な部分に設けられた、１つまたは複数の戻りダクト５０によって空気冷却室４０に導かれる。
【０００７】
上記の従来技術の強制空気循環システムでは、冷却された空気の供給は、冷蔵室の中心領域においてのみ生じ、かつ冷蔵室の後部壁から来るという事実があるために、冷蔵室２０の種々の領域への冷却された空気の分配が、不完全で不均一になるという不利がみられる。
【０００８】
知られている解決方法の他の悪い側面は、フロントドア２１の内部領域が不十分な冷却を受けてしまうということであり、これはこの領域では、空気冷却室４０に戻るより高温の循環空気が上昇する流れが形成されるためである。
【０００９】
知られている構成の別の不利は、冷蔵室内部の冷却された空気の分配が、固定されているために、冷却された空気の分配が冷却されるべき別の領域へ変更できないという事実である。
【発明の開示】
【発明が解決しようとする課題】
【００１０】
上記の不利があるため、本発明の１つの目的は、強制空気循環タイプで、かつ冷蔵室の種々の領域に冷却強制空気の流れを均一に分配することのできる冷蔵室を備えた冷蔵庫用の空気ダクト装置を提供することである。
【００１１】
本発明のさらなる目的は、フロントドアの内面に近接する領域を含む、冷蔵室の種々の領域への冷却された空気の供給を選択的に増強することができる、上記のような空気ダクト装置を提供することである。
【課題を解決するための手段】
【００１２】
本発明の目的に従うために、本発明の空気ダクト装置は、ドアによって閉じられ、かつ複数の棚を収容する冷蔵室と、冷却された強制空気の流れを空気冷却室から受け取るために、冷蔵室の後部壁に近接して設けられた拡散ダクトとを備えたタイプの冷蔵庫に適用される。
【００１３】
本発明によれば、本発明の装置は、少なくとも１つの棚の下方に定められた空間の上方部分内に配置された少なくとも１つの分配ダクトを備えており、この分配ダクトは、拡散ダクト内部に開かれた後端部と、フロントドアに近接した前記空間の前部領域内に配置され、かつ前記空間の前部領域に向いた複数の前部開口部を備えた前端部とを有し、前記分配ダクトは、この前記空間の上方部分に位置決めされている。
【００１４】
本発明によって提案されるこの新しい装置によって、空気冷却室から来て、棚の下方に定められた１つまたは複数の空間に沿って均一に分配され、かつドアの内面領域にも供給されるべき、拡散ダクトに供給される冷却された強制空気の流れができ、ドアの内面は十分に冷却される。ユーザが冷却を増強する領域を選択できるようにするために、本願明細書において後に記載する流量制御装置が、ダクト装置に任意に設けられる。
【００１５】
本発明の可能な実施形態の一例として提供された添付の図面を参照して、本発明を記載する。
【発明を実施するための最良の形態】
【００１６】
本願明細書の導入部分で既に示したように、本発明のダクト装置は、図１および図２に関して記載したようなタイプの冷蔵庫に適用される。図３、図４、図８、および図９は、一例としてのみ示したもので、かつその知られている構成部品を、図１および図２に用いた同一の参照符号で示した、同様な冷凍冷蔵庫を示している。
【００１７】
冷蔵庫が、後部壁に近接し、概ね中心に配置される拡散ダクト２３を呈する冷蔵室を備え、該拡散ダクト２３が、図示の実施形態では上方の端部である端部によって、冷蔵庫の構造に適切に設置された空気冷却室４０（この構成上の変形については図示せず）から来る冷却された強制空気流を受け取ると仮定した場合、本発明のダクト装置が適用される冷蔵庫は、冷凍冷蔵庫である必要はない。
【００１８】
本発明によれば、ダクト装置は、冷蔵室２０の棚２２の少なくとも１つの下方に定められた空間Ｖの上方部分に配置された、少なくとも１つの分配ダクト６０を備える。
【００１９】
図示した構造では、冷蔵室２０は、主に、上部棚２２の上方に定められ、かつ前部に小さなドアを有する強化された冷蔵チャンバを形成する空間Ｖを備えている。この図示した構造では、強化された冷蔵チャンバの真下に配置された前記上部棚２２の下方に定められた空間Ｖは、分配ダクト６０を備え、このダクト６０は、拡散ダクト２３の内部に向かって開放された後部端６１と、フロントドア２１に近接する各空間の領域に向かって開放された前部端６２とを有している。
【００２０】
各棚２２の下方に定められた各空間Ｖは、１つまたは複数の分配ダクト６０を備えてよいことを理解すべきである。
【００２１】
図示した構造では、空間Ｖの中心の上方部分に沿って配置された直線状の縦方向のダクト延長部６０ａを呈する拡散ダクト６０を１つのみ備えており、前記縦方向のダクト延長部６０ａは、分配ダクト６０がその中に設置された自由空間Ｖの真上に配置され、かつこの自由空間Ｖを主に範囲を定める棚２２の下方に取り付けられるのが好ましい。縦方向のダクト延長部６０ａは、空間Ｖの内部に向けられた複数の径方向開口部６３を備え、分配ダクト６０は空間Ｖ内部の上方部分に位置決めされている。この例示的な構造では、分配ダクト６０の縦方向のダクト延長部６０ａは、２つの横方向のダクト延長部６０ｂを前面方向に組み込んでおり、この延長部６０ｂは、冷蔵室２０の幅の少なくとも１つの実質的な延長部に沿って相互に一直線状に配置され、かつ同じ棚２２にも取り付けられている。冷蔵室２０の側面で、横方向のダクト延長部の内部端が、縦方向のダクト延長部６０ａに接続されるように、かつそれらの外部端が、前方で曲線状になり、前方かつフロントドア２１に近接する各空間Ｖの領域に向けられた分配ダクト６０の一対の前部開口部６４を画定し、すなわち、冷蔵室２０の前部中心領域から離れ、空気冷却室４０に戻るべき循環された空気が前部中心領域を介して上方に流れる、冷蔵室２０の前部側方領域内に冷却された空気を供給する。
【００２２】
図５および図６に示したように、増大した流れの冷却された強制空気を、したがって増強された冷却を受け取るであろう各空間Ｖの領域を選択するために、径方向開口部６３および前部端６２から放出される冷却された強制気流をユーザが調整できるように、分配ダクト６０が、好適にはユーザによって操作される流量制御装置７０を備える。
【００２３】
図３〜図７に示した実施形態では、流量制御装置７０は、管状スリーブ７１を備えており、このスリーブ７１は、きつく、かつ摺動するように縦方向のダクト延長部６０ａの内側に取り付けられており、かつ管状スリーブ７１が、軸方向に前方に図６に示した前進した位置に向かって変位させられたときに、縦方向のダクト延長部６０ａの径方向開口部６３と一直線になる径方向窓７３を備える。環状スリーブ７１の前方部分は、空間Ｖの冷却が均一になるように、拡散ダクト２３から来る冷却された強制気流を、径方向窓７３および径方向開口部６３を介して各空間Ｖの内側に放出させながら、横方向のダクト延長部６０ｂの両方の内部端を遮断する。
【００２４】
管状スリーブ７１が、軸方向に後方に、図５に示した引っ込んだ位置に向かって変位させられるとき、冷却された強制気流を受けるフロントドア２１の内部の棚をより集中的に冷却するように、冷却された強制気流がフロントドア２１に近接する空間Ｖの前部側方領域に向けられるようにしながら、径方向開口部６３は、管状スリーブ７１の外側壁によって閉じられ、横方向のダクト延長部６０ｂの内部端が開かれる。
【００２５】
空間Ｖの深さに沿って、空間Ｖの反対側の前部側方領域に供給される冷却された強制気流の間で、所望のバランスを達成するために、中間の位置に管状スリーブ７１を配置することも可能である。
【００２６】
環状スリーブ７１の動作上の制限位置の間の管状スリーブ７１の軸方向変位が、例えば、２つの横方向のダクト延長部６０ｂの結合領域に設けられ、かつシャフト７６を備えるボタン７５を介して得られることができる。シャフト７６は、選択された結合システムに応じて、環状スリーブ７１が、例えば軸方向に回転してまたは摺動して作動されたとき、分配ダクト６０に回転するようにまたは軸方向に取り付けられ、かつ環状ダクト７１の変位を引き起こすために、管状スリーブ７１に結合された内側部分を呈する。
【００２７】
縦方向のダクト延長部６０ａに沿った径方向開口部６３の位置決めは、種々のパターン、例えば、横方向に水平および／または下方向の強制気流の供給ができるようなパターンに従ってよい。
【００２８】
図７に示すように、エアダクト装置は、両横方向のダクト延長部６０ｂが、前部開口部６５を提供するようにさらに構成されることができる。この前部開口部６５は、横方向のダクト延長部６０ｂの長さの少なくとも１つの部分に沿って配置され、かつ各冷却された強制気流を、前方に、冷蔵室２０のドア２１に向かって、通常は幾分下方に傾斜した経路で導くように概ね位置決めされる。
【００２９】
この構造上の変形例では、横方向のダクト延長部６０ｂは、それらの排気口端部を有することができる。それらの排気口端部は、曲がっていなくてよく、閉じられ、かつドアの各内側側方領域に向かって気流を放出するための各開口部６５を備える。
【００３０】
図８〜図１４は、本発明のエアダクト装置のための別の構造形態に関連するものである。図８〜図９から分かるように、冷蔵室の内側にある高さでそれぞれ配置された、２本以上の分配ダクト６０を提供することが可能である。この構造形態では、第２の分配ダクト６０が、下方の棚２２の下に設けられている。図示した実施形態では、この下方の棚２２は、冷蔵室２０の底部に位置する野菜または果物用の引き出しのカバーを定めている。同一の構成が、その他の上方の引き出し−棚アセンブリに適用されてよいことを理解すべきである。    この第２の実施形態では、縦方向のダクト延長部６０ａの側方端が、それぞれの凹状の弧によって各横方向のダクト延長部６０ｂの近接する後部端と適合するように、分配ダクト６０は、その前部領域の幅が広くなった縦方向のダクト延長部６０ａを呈している。縦方向のダクト延長部６０ａは、第１の実施形態に存在する径方向開口部６３を備えていないことが好ましく、横方向のダクト延長部６０ｂは、前方に向けられた前部開口部６５と、一般的には下方に向けられた前部開口部６６とが備けられている。分配ダクト６０が、下方の棚２２の下に配置された場合、下方に向けられた前部開口部６６は押さえられ、前方に向けられた前部開口部６５は、冷蔵室の内側に向けて開いたままになっている。
【００３１】
本願明細書に記載した第２の実施形態では、ドア２１に向かって前方に、または下方に、あるいは同時に前方かつ下方に向けて気流を送るために、ユーザが、冷却された強制気流を前部開口部６５および６６を介して放出するように調整することができるように、各横方向のダクト延長部６０ｂは、ユーザによって操作されるべき流量制御装置８０を備えている。
【００３２】
流量制御装置８０は、半管状のスリーブ（または管状スリーブ）の形状で、あるいは各横方向のダクト延長部６０ｂの内部に向かって設けられた丸窓として、単一の部品として作られたデフレクタ８１によって形成されてよい。流量制御装置８０は、その長手方向軸周囲に手動でかつ選択的に回転されることができ、前部開口部６５の配列を閉じ、かつ第１の配列に対して約９０°ずれて配置された前部開口部６６の他方の配列を開放し、あるいは、冷却された空気が前方および下方へ同時に流れることができるように、前部開口部６５、６６の両配列を開放したままにする。
【００３３】
管状スリーブの形状の場合、各デフレクタ８１は、各横方向のダクト延長部６０ｂの前部開口部６５、６６の両方の配列と同時または交互に一致するように、あるいは前部開口部６５、６６の両方に関して完全にずれた位置を占めるように配置された窓８２の配列をさらに備えてよい。
【００３４】
デフレクタ８１の動きは、分配ダクト６０から分配ダクト６０に設けられたスロット６７を介して外方向に突出したハンドル８３によって生じてよい。スロット６７に沿ったハンドル８３の角変位によって、デフレクタ８１を所望の操作位置に回転させることが可能となる。
【００３５】
デフレクタ８１は、前部開口部６５、６６の各配列と関連して動作するために、例えば、各横方向のダクト延長部６０ｂの内側で滑動する、それぞれ窓の配列および分配ダクト６０から外方向に突出しているハンドルを含む２枚の板などの、異なる形態で構成されてよいことを理解すべきである。
【００３６】
図８〜図１３に示し、前方および下方に向けられた前部開口部６５および６６を備えた分配ダクト６０は、内部壁６８をさらに組み込んでよい。この内部壁６８は、分配ダクト６０の内部の高さの少なくとも一部を占め、かつ分配ダクト６０の後部端６１の領域から前部端６２の領域まで延在し、縦方向のダクト延長部６０ａと横方向のダクト延長部６０ｂとの間の側方移行ゾーンの曲がった経路を辿り、かつ前部開口部６５、６６に向かう冷却された強制空気の流れを促進しながら、拡散ダクト２３の開口部２３ａから横方向のダクト延長部６０ｂまで受けた冷却された気流を導く。
【００３７】
添付した図面から分かるように、空間の下方の棚２２の食物の収納容量、あるいは分配ダクト６０の真下に設けられた引き出しの食物の収納容量を減らさないようにしながら、分配ダクト６０が設置される空間Ｖ内で最小の垂直空間を占めるために、高さが縮小された状態で、分配ダクト６０は構成されている。
【００３８】
本発明によって提唱される構造によって、より良くかつより安全な食品保存の状態を保ちながら、冷蔵室の選択された領域の内部において冷却された空気をより良く分配することが可能となる。
【００３９】
上記の態様に加えて、本発明の構造は、冷蔵室内に格納された食品をより良く保存しながら、ドアの領域の温度を、冷蔵室の内部で測定される温度に近付ける。
【００４０】
本発明の構造は、ユーザが、この領域に導かれるべき冷却された空気の量を増大させることができるため、冷蔵庫のドア内に格納された飲料を冷蔵する能力を増大させるという利点をさらに提供する。
【００４１】
好適な実施形態に関して本発明を記載し、例示してきたが、本願明細書に添付の特許請求の範囲に定められた構成概念から逸脱することなく、要素の形態または物理的配置の変更が行われてよいことを理解すべきである。
【図面の簡単な説明】
【００４２】
【図１】先行技術による、冷蔵室から空気冷却室に向かう空気の戻りを図示するために切り取った、本発明において利用される強制空気循環を用いた冷凍冷蔵庫の可能な構造を示す縦断面略図である。
【図２】冷却された強制空気流が冷蔵室および冷凍室の内側に供給される地点をより良く視覚化するために、図１の線ＩＩ−ＩＩで切り取った断面図である。
【図３】図１と同様の図であるが、冷蔵室に向かう冷却された強制空気流の本発明のダクト装置による供給を示す断面図である。
【図４】冷蔵室の棚の１つの下方に定められた自由空間内の本発明のダクト装置の設備を示す図３の線ＩＶ−ＩＶで切り取った断面図である。
【図５】冷蔵室の棚の下方に定められた自由空間に適用され、かつドアの内部領域の冷却を増強するように操作するために調節された場合の、本発明のダクト装置の一実施形態を示す図３の線Ｖ−Ｖで切り取った断面図である。
【図６】図５と同様の図であるが、ダクト装置が提供される冷蔵室の自由空間の全体の深さに沿って冷却を均一にするために調節されたダクト装置を示す断面図である。
【図７】図５と同様の図であるが、複数の空気放出開口部がドアの内側領域に設けられた、ダクト装置の構成上の変形を示す断面図である。
【図８】図３と同様の図であるが、本発明のエアダクト装置の別の実施形態を示す断面図である。
【図９】図４と同様の図であるが、本発明のエアダクト装置の別の実施形態を示す断面図である。
【図１０】図７と同様の図であるが、本発明のエアダクト装置の別の実施形態を示す断面図である。
【図１１】空気を導く内部壁の一構成を視覚化するための、その上部壁を有さない図８、図９、および図１０の分配ダクトを示す平面図である。
【図１２】図１１の線ＸＩＩ−ＸＩＩで切り取った分配ダクトを示す部分断面図である。
【図１３】前方に向いた前開口部および下方に向いた前口部を示す分配ダクトを示す斜視図である。
【図１４】前方に向いた前開口部のみを示す斜視図である。
【図１】
2005517892.tif 000003
【図２】
2005517892.tif 000004
【図３】
2005517892.tif 000005
【図４】
2005517892.tif 000006
【図５】
2005517892.tif 000007
【図６】
2005517892.tif 000008
【図７】
2005517892.tif 000009
【図８】
2005517892.tif 000010
【図９】
2005517892.tif 000011
【図１０】
2005517892.tif 000012
【図１１】
2005517892.tif 000013
【図１２】
2005517892.tif 000014
【図１３】
2005517892.tif 000015
【図１４】
2005517892.tif 000016
【手続補正書】
【提出日】平成16年2月27日(2004.2.27)
【手続補正１】
【補正対象書類名】特許請求の範囲
【補正対象項目名】全文
【補正方法】変更
【補正の内容】
【特許請求の範囲】
【請求項１】
フロントドア（２１）によって閉じられ、かつ複数の棚（２２）を収容する冷蔵室（２０）と、空気冷却室（４０）から冷却された強制気流を受け取るために、冷蔵室（２０）の概ね中心に位置し、かつ冷蔵室（２０）の後部壁に近接して設けられた拡散ダクト（２３）とを備えた、強制空気循環を有する冷蔵庫のエアダクト装置であって、
前記エアダクト装置が、棚（２２）の少なくとも１つの下方に定められた空間（Ｖ）の上方部分に配置された少なくとも１つの分配ダクト（６０）を備え、前記分配ダクト（６０）が、拡散ダクト（２３）の内側に開かれた後部端（６１）と、前部端（６２）とを有し、該前部端（６２）が、フロントドア（２１）に近接する前記空間の前部領域内に設けられ、かつ上方部分に分配ダクト（６０）が位置決めされた前記空間（Ｖ）の前部領域に向けられた複数の前部開口部（６４、６５、６６）を備え、前記分配ダクト（６０）がさらに、縦方向のダクト延長部（６０ａ）を備え、該縦方向のダクト延長部（６０ａ）が、拡散ダクト（２３）から各空間（Ｖ）の中央の上方部分に沿って配置され、かつ前部開口部（６４、６５、６６）が設けられた２つの横方向のダクト延長部（６０ｂ）を前面に組み入れることを特徴とするエアダクト装置。
【請求項２】
分配ダクト（６０）が、分配ダクト（６０）が内側に設けられた空間（Ｖ）を主に制限する棚（２２）の下方に取り付けられたことを特徴とする、請求項１に記載の装置。
【請求項３】
横方向のダクト延長部（６０ｂ）が、各冷却された強制気流を冷蔵室（２０）のドア（２１）に向けて導くために、前方に向けられた前部開口部（６５）を備えたことを特徴とする、請求項１に記載の装置。
【請求項４】
前部開口部（６５）が、横方向のダクト延長部（６０ｂ）の長さの少なくとも一部に沿って配置されたことを特徴とする、請求項３に記載の装置。
【請求項５】
縦方向のダクト延長部（６０ａ）が、該縦方向のダクト延長部（６０ａ）の長さの少なくとも一部に沿って配置された複数の径方向開口部（６３）を備えたことを特徴とする、請求項３に記載の装置。
【請求項６】
横方向のダクト延長部（６０ｂ）が、前方に曲がっており、前方に向けられた前部開口部（６４）をそれぞれ画定する放出端部を備えたことを特徴とする、請求項３、４、および５のいずれか一項に記載の装置。
【請求項７】
分配ダクト（６０）が、前部開口部（６５）および径方向開口部（６３）から放出される冷却された強制空気流を調節するために、ユーザによって操作される流量制御装置（７０）を備えたことを特徴とする、請求項５に従属する請求項６に記載の装置。
【請求項８】
流量制御装置（７０）が、径方向窓（７３）を備える管状スリーブ（７１）を備え、該管状スリーブ（７１）が、きつく、かつ摺動するように分配ダクト（６０）の内側に設置され、前記管状スリーブ（７１）が、径方向窓（７３）と径方向開口（６３）を１列に並べ、かつ横方向のダクト延長部（６０ｂ）への強制気流を遮断する位置と、その側壁が径方向開口部（６３）を遮断し、かつ前部開口部（６４、６５）への冷却された強制気流を放出する位置との間を変位できることを特徴とする、請求項７に記載の装置。
【請求項９】
管状スリーブ（７１）の変位が、分配ダクト（６０）の前部領域に設けられたボタン（７５）を動かすことによって引き起こされることを特徴とする、請求項８に記載の装置。
【請求項１０】
管状スリーブ（７１）が、縦方向のダクト延長部（６０ａ）の内側で、環状スリーブ（７１）の動作上の制限位置の間で軸方向に変位され、前記位置の一方において、環状スリーブ（７１）の外側壁の前部分が、横方向のダクト延長部（６０ｂ）への冷却された強制気流を遮断することを特徴とする、請求項９に記載の装置。
【請求項１１】
管状スリーブ（７１）が、径方向開口部（６３）および横方向のダクト延長部（６０ｂ）への冷却された強制気流を制御するための環状スリーブ（７１）の動作上の制限位置の間で回転するように変位されることを特徴とする、請求項９に記載の装置。
【請求項１２】
各横方向のダクト延長部（６０ｂ）が、前方に向けられた前部開口部（６５）と下方に向けられた開口部（６６）とを備えたことを特徴とする、請求項４に記載の装置。
【請求項１３】
各横方向のダクト延長部（６０ｂ）が、前方に向けられた前部開口部（６５）および下方に向けられた前部開口部（６６）から放出すべき冷却された強制空気流を調節するように、ユーザによって操作される流量制御装置（８０）を備えたことを特徴とする、請求項１２に記載の装置。
【請求項１４】
各流量制御装置（８０）が、各横方向のダクト延長部（６０ｂ）の内側に設置されたデフレクタ（８１）を備え、デフレクタ（８１）が、前方に向けられた前部開口部（６５）を閉じかつ下方に向けられた前部開口部（６６）を開放するという状態、および前方に向けられた前部開口部（６５）を開放しかつ下方に向けられた前部開口部（６６）を閉じるという状態、および前方に向けられた前開口部（６５）および下方に向けられた前開口部（６６）を同時に開口する状態の一つの状態を促進する、動作位置の間を選択的に変位されることを特徴とする、請求項１３に記載の装置。
【請求項１５】
デフレクタ（８１）が、デフレクタ（８１）の動作位置への変位を発生させるようにユーザによって変位されるために、分配ダクト（６０）からスロット（６８）を介して突出したハンドル（８３）を組み入れたことを特徴とする、請求項１４に記載の装置。
【請求項１６】
ハンドル（８３）およびデフレクタ（８１）が、角度変位されることができることを特徴とする、請求項１５に記載の装置。
【請求項１７】
ハンドル（８３）およびデフレクタ（８１）が、前方に向けられた前部開口部（６５）および下方に向けられた前部開口部（６６）の少なくとも一方の配列を通る、冷却された強制空気流の状態の変更を生み出すために線形変位されることを特徴とする、請求項１５に記載の装置。
【請求項１８】
分配ダクト（６０）が、拡散ダクト（２３）の開口（２３ａ）から受け取った冷却された強制空気流を、横方向のダクト延長部（６０ｂ）に導くために、分配ダクト（６０）の内部の高さの少なくとも一部を占め、かつ分配ダクト（６０）の後部端（６１）の領域から分配ダクト（６０）の前部端（６２）の領域に延在する内部壁（６８）を備えたことを特徴とする、請求項１２に記載の装置。
【請求項１９】
縦方向のダクト延長部（６０ａ）と横方向のダクト延長部（６０ｂ）との間の側方移行ゾーンが、曲線状の輪郭を呈し、内部壁（６８）の少なくとも一部が前記側方移行ゾーンの輪郭を辿ることを特徴とする、請求項１８に記載の装置。
【国際調査報告】
2005517892.tif 000017
2005517892.tif 000018